Podtech/llm-jp-corpus-v4-ja_patent huggingface dataset:
【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
バイオマスを気化させる反応装置であって、
供給シュートと、
前記供給シュートの下方に配置されている灰ベッドと
を備え、
前記供給シュートに付着するバイオマスを分離するデバイス、および、前記バイオマスから生成される生成ガスから、前記供給シュートで後に運搬されるバイオマスおよび酸化空気に対して熱を放出させる熱交換器のうち少なくとも一方が設けられている反応装置。
【請求項２】
前記生成ガスの熱を前記酸化空気および前記後に運搬されるバイオマスに伝達するマルチカバーが設けられている請求項１に記載の反応装置。
【請求項３】
前記供給シュートを振動させて付着するバイオマスを前記供給シュートから分離させる振動デバイスが設けられている請求項１または２に記載の反応装置。
【請求項４】
前記バイオマスを前記供給シュートに供給するウェッジ仕切り部が設けられている請求項１から３のいずれか一項に記載の反応装置。
【請求項５】
酸素無しで前記バイオマスを前記供給シュートに供給する封止供給デバイスが設けられている請求項１から４のいずれか一項に記載の反応装置。
【請求項６】
前記供給シュートは、下部領域において円錐テーパー形状に具現化されている請求項１から５のいずれか一項に記載の反応装置。
【請求項７】
酸化空気供給部は、中間領域および酸化空気リングを介して、燃焼ゾーンに流れ込む酸化空気ノズルに接続されている請求項１から６のいずれか一項に記載の反応装置。
【請求項８】
少なくとも一の撹拌ロッドを有する回転ラックが前記灰ベッドに設けられており、前記回転ラックは、バイオマスの塊を分離する請求項１から７のいずれか一項に記載の反応装置。
【請求項９】
前記少なくとも一の撹拌ロッドの制御および管理のうち少なくとも一方を実行するべく測定で得られたデータを用いることを目的として、前記灰ベッドの前後の圧力を測定するセンサが設けられている請求項８に記載の反応装置。
【請求項１０】
バイオマスから生成ガスを生成するデバイスであって、
前記バイオマス用の燃料貯蔵部と、
前記バイオマスを気化させる反応装置と、
前記バイオマスを前記燃料貯蔵部から前記反応装置へと輸送する少なくとも一のコンベヤ部と、
前記バイオマスから生成される生成ガスを浄化する少なくとも一のフィルタシステムと
を備え、
前記反応装置は、請求項１から９のいずれか一項に応じて具現化されるデバイス。
【請求項１１】
前記反応装置から下流に少なくとも一のサイクロン分離器が配置されている請求項１０に記載のデバイス。
【請求項１２】
フィルタ媒体としてバイオマスを含む少なくとも一の微細フィルタが、前記反応装置から下流に設けられている請求項１０または１１に記載のデバイス。
【請求項１３】
前記生成ガスの誘導先である燃焼機関が設けられており、
前記燃焼機関は、電気エネルギーを生成する発電機に結合されている請求項１０から１２のいずれか一項に記載のデバイス。
【請求項１４】
前記燃焼機関の排ガスの熱を前記バイオマスに伝達して前記バイオマスを予熱する廃熱交換器が設けられている請求項１３に記載のデバイス。
【請求項１５】
バイオマスから生成された生成ガスを浄化する微細フィルタであって、
フィルタ媒体はバイオマスを含む微細フィルタ。
【請求項１６】
バイオマスから生成された生成ガスを浄化するための請求項１５に記載の微細フィルタを利用する方法。
【請求項１７】
反応装置においてバイオマスを気化させて生成ガスを生成する方法であって、
供給シュートに付着するバイオマスの分離、および、前記生成ガスによる熱のバイオマスおよび酸化空気への放出の少なくとも一方を実行する方法。
【請求項１８】
振動デバイスを、前記供給シュートに付着するバイオマスを分離するべく、５分未満の期間にわたって、１０分から３０分までの間隔で、動作させる
請求項１７に記載の方法。
【請求項１９】
前記供給シュートの下部領域における前記バイオマスの流量は、前記供給シュートの前記下部領域を円錐形状にすることで、略一定に維持される
請求項１７または１８に記載の方法。
【請求項２０】
前記供給シュートの最下部領域において、前記バイオマスの５０％を超える割合は、温度が摂氏１０００度と摂氏１６００度との間である請求項１７から１９のいずれか一項に記載の方法。
【請求項２１】
圧力損失は連続的に灰ベッドの上方において測定され、所定限界値を超えると、前記灰ベッド内において撹拌デバイスを動作させる請求項１７から２０のいずれか一項に記載の方法。
【請求項２２】
前記酸化空気は、バイオマスの酸化が引き起こされる前記供給シュートの下部領域において、中間カバーから複数の空気ノズルへと酸化空気リングを通過して流れる請求項１７から２１のいずれか一項に記載の方法。
【請求項２３】
生成ガスを用いて燃焼機関を駆動し、前記燃焼機関を用いて、電気エネルギーを生成するための発電機を駆動する請求項１７から２２のいずれか一項に記載の方法。
【請求項２４】
前記燃焼機関の排ガスの熱は前記バイオマスを予熱するために用いられる請求項２３に記載の方法。
【手続補正２】
【補正対象書類名】明細書
【補正対象項目名】発明の名称
【補正方法】変更
【補正の内容】
【発明の名称】反応装置、デバイス、微細フィルタ、微細フィルタを利用する方法及び生成ガスを生成する方法
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
ホストとしてのカラミチック、サーモトロピック液晶と、ゲストとしての二色性蛍光色素とを含むゲスト・ホスト液晶色素混合物であって、前記二色性蛍光色素が、一般式
Ｒy−Ｘ1−Ｃ1
［式中、
Ｒyはリレン族からの発色団であり、Ｃ1は第二の発色団であり、且つＸ1はＲyとＣ1との間の共役を妨げるスペーサーであり、且つ、前記スペーサーＸ1は、分子の長さ方向に垂直な軸上での曲げまたは折りたたみに対する剛性をもたらすように選択される］
を有する少なくとも１つの基を含有する多重発色団色素であることを特徴とする、前記ゲスト・ホスト液晶色素混合物。
【請求項２】
前記一般式が、Ａ1−Ｒy−Ｘ1−Ｃ1−Ｘ2・・・−Ｃn−Ａ2を示し、Ａ1およびＡ2が可溶化脂肪族末端部であり、ＸiはＲyとＣiとの間の共役を妨げる共有結合スペーサーであり、Ｃiは発色団であり、且つＲyはリレン族からの発色団である、請求項１に記載のゲスト・ホスト液晶色素混合物。
【請求項３】
発色団ＣnおよびＣn+1を有する多重発色団色素を有し、
・  ＣnおよびＣn+1は互いに１０ｎｍの範囲内にある発色団であり、
・  Ｃnは蛍光性であり、
・  ＣnはＣn+1よりも短い波長でピーク吸収を有し、
・  Ｃnの蛍光放射は、Ｃn+1の吸収と重なり、
フェルスター共鳴エネルギー移動が生じることができる、請求項１または２に記載のゲスト・ホスト液晶色素混合物。
【請求項４】
発色団の一次吸収軸が、ゲスト分子の長軸に沿って配置されている、請求項１から３までのいずれか１項に記載のゲスト・ホスト液晶色素混合物。
【請求項５】
発色団Ｃ1の一次吸収軸が、発色団Ｒyの吸収軸に関して垂直に取り付けられている、請求項１から３までのいずれか１項に記載のゲスト・ホスト液晶色素混合物。
【請求項６】
発色団ＲyとＣ1とが同一である、請求項１から３までのいずれか１項に記載のゲスト・ホスト液晶色素混合物。
【請求項７】
照明、ディスプレイ、レージングおよび発光型太陽集光器用途における、請求項１から６までのいずれか１項に記載のゲスト・ホスト液晶色素混合物の使用。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
患者の肺動脈高血圧を治療する方法であって、
血管作用薬を肺動脈高血圧患者に投与するステップと、
該患者が右室拡大又は右室機能不全を有するか否かを決定するステップと、
該患者が右室拡大又は右室機能不全を有していない場合に、前記患者をプロスタノイドから離薬させるステップと、を含む、前記方法。
【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
皮膚用として許容できるビヒクル中に、
少なくとも組成物の１０重量％の総量で、遊離酸として計算して１５〜４０重量％の、乳酸および／またはグリコール酸を含む１種類以上のアルファ−ヒドロキシ酸；
１５〜４０重量％の尿素；
５〜２０重量％のグリセロール；ならびに
５〜２０重量％のパンテノール
を含み、アルファ−ヒドロキシ酸（単数または複数）、尿素、グリセロールおよびパンテノールの総量が組成物の４０重量％から８０重量％までを構成する、局所用組成物。
【請求項２】
最大で約３０重量％の１種類以上のアルファ−ヒドロキシ酸；
最大で約２５重量％の尿素；
最大で約１０重量％のグリセロール；および
最大で約１０重量％のパンテノール
を含む、請求項１に記載の局所用組成物。
【請求項３】
乳酸および／またはグリコール酸を、少なくとも１３重量％の量で含む、請求項１または２に記載の局所用組成物。
【請求項４】
さらにサリチル酸を含む、請求項１〜３のいずれか１項に記載の局所用組成物。
【請求項５】
さらに、一般的な保存剤および脂肪アルコールを含む、請求項１〜４のいずれか１項に記載の局所用組成物。
【請求項６】
レチノールまたはその誘導体が存在する、請求項１〜５のいずれか１項に記載の局所用組成物。
【請求項７】
さらにベヘニルアルコールを含む、請求項１〜６のいずれか１項に記載の局所用組成物。
【請求項８】
さらに血流刺激剤を含む、請求項１〜７のいずれか１項に記載の局所用組成物。
【請求項９】
ビヒクルがエマルジョンである、請求項１〜８のいずれか１項に記載の局所用組成物。
【請求項１０】
特に足の、過角化皮膚の処置に使用するための、請求項１〜９のいずれか１項に記載の局所用組成物。
【請求項１１】
過角化皮膚が病的状態と関連する、過角化皮膚の処置に使用するための請求項１０に記載の局所用組成物。
【請求項１２】
病的状態が糖尿病である、過角化皮膚の処置に使用するための請求項１０に記載の局所用組成物。
【請求項１３】
病的状態が、手の湿疹、アトピー性湿疹、魚鱗癬、および乾癬からなる群から選択される、過角化皮膚の処置に使用するための請求項１０に記載の局所用組成物。
【請求項１４】
微生物の過剰増殖が関与すると考えられる皮膚疾患の処置に使用するための、請求項１〜９のいずれか１項に記載の局所用組成物。
【請求項１５】
アクネまたは皮膚粘膜症の処置に使用するための、請求項１４に記載の局所用組成物。
【請求項１６】
微生物の過剰増殖が関与すると考えられる皮膚疾患であって、過角化皮膚の存在と関連する疾患の処置に使用するための、請求項１〜９のいずれか１項に記載の局所用組成物。
【請求項１７】
皮膚障害または開放潰瘍を伴う対象を、罹患した皮膚に請求項１に記載の組成物を局所投与することにより処置する方法。
【誤訳訂正書】
【提出日】平成27年5月25日(2015.5.25)
【誤訳訂正１】
【訂正対象書類名】明細書
【訂正対象項目名】００３８
【訂正方法】変更
【訂正の内容】
【００３８】
本発明は、式
【化１】
2014527073.tif 000001
（式中、
Ｒ１は、Ｃ１−７−アルキル、
Ｃ３−７−シクロアルキル、
Ｃ３−７−シクロアルキル−Ｃ１−７−アルキル、
ヒドロキシ−Ｃ１−７−アルキル、
Ｃ１−７−アルコキシ−Ｃ１−７−アルキル、及び
ハロゲン−Ｃ１−７−アルキルからなる群より選択され；
Ｒ２は、フェニル（置換されていないか、又はＣ１−７−アルキル、Ｃ１−７−アルコキシ、ハロゲン、ハロゲン−Ｃ１−７−アルキル、ハロゲン−Ｃ１−７−アルコキシ、アミノ、アジド、及びシアノからなる群より選択される１個、２個、又は３個の基により置換されている）、
Ｃ３−７−シクロアルキル、
フリル、及び
ヘテロシクリル（Ｎ、Ｏ、及びＳから選択される１個、２個、又は３個のヘテロ原子を含む、３〜７個の環原子を有し、置換されていないか、又はＣ１−７−アルコキシカルボニル基により置換されている）からなる群から選択され；
Ｒ３は、水素であり；
Ｒ４は、水素、又はＣ１−７−アルキルであるか；
又はＲ３及びＲ４は、−（ＣＨ２）３−であり、それらが結合している窒素原子と一緒に、５員の複素環式環を形成し；
Ｒ５は、水素、
ハロゲン−Ｃ１−７−アルキル、ヒドロキシル−Ｃ１−７−アルキル、Ｃ１−７−アルコキシカルボニル、
フェニル（置換されていないか、又はＣ１−７−アルキル、ハロゲン、ハロゲン−Ｃ１−７−アルキル、及びシアノからなる群より選択される１個、２個、又は３個の基により置換されている）、
ヘテロアリール（置換されていないか、又はＣ１−７−アルキル、ハロゲン、及びハロゲン−Ｃ１−７−アルキルからなる群より選択される１個又は２個の基により置換されている）；及び
ヘテロアリール−Ｃ１−７−アルキル（置換されていないか、又はＣ１−７−アルキル、ハロゲン、及びハロゲン−Ｃ１−７−アルキルからなる群より選択される１個又は２個の基により置換されている）からなる群より選択されるか；
又はＲ４及びＲ５は、それらが結合している窒素原子と一緒になって、窒素、酸素、硫黄、スルフィニル、及びスルホニルから選択される更なるヘテロ原子又は基を場合により含有する、４員、５員、６員又は７員の複素環式環を形成する
（該複素環式環は、置換されていないか、又はＣ１−７−アルキル、ヒドロキシ、オキソ、ヒドロキシ−Ｃ１−７−アルキル、Ｃ１−７−アルコキシ、Ｃ１−７−アルコキシ−Ｃ１−７−アルキル、ヘテロシクリル−Ｃ１−７−アルキル、Ｃ１−７−アルキルカルボニル、及びＣ１−７−アルキルスルホニルから独立して選択される１個、２個、又は３個の基により置換されている））
の化合物、又はその医薬的に許容される塩に関する。
【誤訳訂正２】
【訂正対象書類名】明細書
【訂正対象項目名】００４８
【訂正方法】変更
【訂正の内容】
【００４８】
本発明による式Ｉの化合物の更なる群は、式中、Ｒ３は水素であり、Ｒ４及びＲ５は、それらが結合している窒素原子と一緒に、窒素、酸素、硫黄、スルフィニル、及びスルホニルから選択される更なるヘテロ原子又は基を場合により含有する４員、５員、６員、又は７員の複素環式環（置換されていないか、又はＣ１−７−アルキル、ヒドロキシ、オキソ、ヒドロキシ−Ｃ１−７−アルキル、Ｃ１−７−アルコキシ、Ｃ１−７−アルコキシ−Ｃ１−７−アルキル、ヘテロシクリル−Ｃ１−７−アルキル、Ｃ１−７−アルキルカルボニル、及びＣ１−７−アルキルスルホニルから独立して選択される１個、２個、又は３個の基により置換されている）を形成する、ものである。
【誤訳訂正３】
【訂正対象書類名】明細書
【訂正対象項目名】００５９
【訂正方法】変更
【訂正の内容】
【００５９】
更に、本発明は、式Ｉ（式中、
Ｒ１は、Ｃ１−７−アルキル、
Ｃ３−７−シクロアルキル、
Ｃ３−７−シクロアルキル−Ｃ１−７−アルキル、
ヒドロキシ−Ｃ１−７−アルキル、
Ｃ１−７−アルコキシ−Ｃ１−７−アルキル、及び
ハロゲン−Ｃ１−７−アルキルからなる群より選択され；
Ｒ２は、フェニル（置換されていないか、又はＣ１−７−アルキル、Ｃ１−７−アルコキシ、ハロゲン、ハロゲン−Ｃ１−７−アルキル、ハロゲン−Ｃ１−７−アルコキシ、アミノ、アジド、及びシアノからなる群より選択される１個、２個、又は３個の基により置換されている）、又は
Ｃ３−７−シクロアルキルであり；
Ｒ３は、水素であり、
Ｒ４は、水素、又はＣ１−７−アルキルであるか、
又はＲ３及びＲ４は、−（ＣＨ２）３−であり、それらが結合している窒素原子と一緒に、５員の複素環式環を形成し、
Ｒ５は、水素、
ハロゲン−Ｃ１−７−アルキル、ヒドロキシル−Ｃ１−７−アルキル、Ｃ１−７−アルコキシカルボニル、
フェニル（置換されていないか、又はＣ１−７−アルキル、ハロゲン、及びハロゲン−Ｃ１−７−アルキルからなる群より選択される１個、２個、又は３個の基により置換されている）、及び
ヘテロアリール（置換されていないか、又はＣ１−７−アルキル、ハロゲン、及びハロゲン−Ｃ１−７−アルキルからなる群より選択される１個又は２個の基により置換されている）からなる群より選択されるか；
又はＲ４及びＲ５は、それらが結合している窒素原子と一緒になって、窒素、酸素、硫黄、スルフィニル、及びスルホニルから選択される更なるヘテロ原子又は基を場合により含有する、４員、５員、６員又は７員の複素環式環を形成し、
該複素環式環は、置換されていないか、又はＣ１−７−アルキル、ヒドロキシ、ヒドロキシ−Ｃ１−７−アルキル、Ｃ１−７−アルコキシ、Ｃ１−７−アルコキシ−Ｃ１−７−アルキル、ヘテロシクリル−Ｃ１−７−アルキル、Ｃ１−７−アルキルカルボニル、及びＣ１−７−アルキルスルホニルから独立して選択される１個、２個、又は３個の基により置換されている）
の化合物、又はその医薬的に許容される塩に関する。
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
線維化を特徴とする疾患又は障害を有する対象を治療するための、有効量の配列番号55のペプチドを含む医薬組成物。
【請求項２】
前記ペプチドが配列番号5に対して少なくとも90％の同一性を有する、請求項1記載の医薬組成物。
【請求項３】
前記ペプチドが配列番号5の配列を含む、請求項1記載の医薬組成物。
【請求項４】
前記ペプチドが配列番号5からなる、請求項1記載の医薬組成物。
【請求項５】
前記ペプチドが配列番号1のアミノ酸配列を含む、請求項1記載の医薬組成物。
【請求項６】
前記ペプチドが配列番号1に対して少なくとも90％の同一性を有する、請求項1記載の医薬組成物。
【請求項７】
前記ペプチドが配列番号1からなる、請求項1記載の医薬組成物。
【請求項８】
さらに薬学的に許容しうる担体を含む、請求項1記載の医薬組成物。
【請求項９】
前記ペプチドを対象に経口的に投与する、請求項1記載の医薬組成物。
【請求項１０】
前記ペプチドを対象に局所的に、経腸的に、又は非経口的に投与する、請求項1記載の医薬組成物。
【請求項１１】
前記の疾患又は障害が、糖尿病性腎症、肝硬変、特発性肺線維症、関節リウマチ、アテローム性動脈硬化症、心臓線維症、全身性硬化症、腎炎、及び強皮症である、請求項1記載の医薬組成物。
【請求項１２】
前記の疾患又は障害が慢性腎疾患(CKD)である、請求項1記載の医薬組成物。
【請求項１３】
1日あたり0.0001〜10,000 mg／kg体重の前記ペプチドの用量を対象に投与する、請求項1記載の医薬組成物。
【請求項１４】
前記の投与する用量が1日あたり1〜100 mg／kg体重である、請求項13記載の医薬組成物。
【請求項１５】
請求項1〜14のいずれか1項記載の医薬組成物及び使用説明書を含むキット。
【請求項１６】
配列番号55のアミノ酸配列を含む、線維化を特徴とする疾患又は障害を治療するためのペプチド。
【請求項１７】
配列番号5のアミノ酸配列を含む、請求項16記載のペプチド。
【請求項１８】
配列番号5のアミノ酸配列からなる、請求項16記載のペプチド。
【請求項１９】
配列番号1のアミノ酸配列を含む、請求項16記載のペプチド。
【請求項２０】
配列番号1のアミノ酸配列からなる、請求項16記載のペプチド。
【請求項２１】
請求項16〜20のいずれか1項記載のペプチド及び使用説明書を含むキット。
【手続補正書】
【提出日】平成27年7月1日(2015.7.1)
【手続補正１】
【補正対象書類名】特許請求の範囲
【補正対象項目名】請求項１
【補正方法】変更
【補正の内容】
【請求項１】
次式Ａの構造を含む発光のための中性単核銅（Ｉ）錯体。
【化１】
2014527033.tif 000001
但し、式中、
【化２】
2014527033.tif 000002
ここで、
・Ｌ−Ｂ−Ｌは、中性の二座配位子であり、ここでＬは、好ましくはホスファニルもしくはアルサニル基Ｅ＊（Ｒ１）（Ｒ２）であり、これは、ブリッジＢを介してもう一つのＬ基と結合し、それ故、二座配位子を形成し、
ＥはＰもしくはＡｓであり；Ｒ１、Ｒ２は、それぞれ互いに独立して、水素、ハロゲンもしくは重水素であることができるか；または酸素原子を介して（−ＯＲ’’’）、窒素原子を介して（−ＮＲ’’’２）もしくはケイ素原子を介して（−ＳｉＲ’’’３）結合した置換基；並びにアルキル基（分枝状もしくは環状も可）、アリール基、ヘテロアリール基、アルケニル基、アルキニル基；またはハロゲンもしくは重水素、アルキル基（分枝状もしくは環状も可）などの置換基を有する置換されたアルキル基（分枝状もしくは環状も可）、アリール基、ヘテロアリール基及びアルケニル基；  並びに他の一般的に既知のドナー及びアクセプター基、例えばアミン、カルボキシレート及びそれのエステル、及びＣＦ３基であることができ、ここで、Ｒ１、Ｒ２基は、任意選択的に、縮合環系を形成し；Ｂは、アルキレン基もしくはアリーレン基もしくはこれら両者の組み合わせ、または−Ｏ−、−ＮＲ’’’−もしくは−ＳｉＲ’’’２−であり；
・Ｚ４〜Ｚ７は、ＮまたはフラグメントＣＲからなり、ここでＲは有機基であり、但しこの有機基は、水素、ハロゲンもしくは重水素；または酸素原子を介して（−ＯＲ’’’）、窒素原子を介して（−ＮＲ’’’２）、ケイ素原子を介して（−ＳｉＲ’’’３）もしくはリン原子を介して（−ＰＲ’’’２）結合した基；並びにアルキル基（分枝状もしくは環状も可）、アリール基、ヘテロアリール基、アルケニル基、アルキニル基；またはハロゲンもしくは重水素、アルキル基（分枝状もしくは環状も可）などの置換基を有する置換されたアルキル基（分枝状もしくは環状も可）、アリール基、ヘテロアリール基及びアルケニル基、及び他の一般的に既知のドナー及びアクセプター基、例えばアミン、カルボキシレート及びそれのエステル、及びＣＦ３基からなる群から選択され；
・Ｘは、ＣＲ’’’２またはＮＲ’’’のいずれかであり；
・Ｙは、Ｏ、ＳまたはＮＲ’’’のいずれかであり；
・Ｚ８はフラグメントＣＲ’からなり、ここでＲ’はＯＲ’’’、ＮＲ’’’２またはＰＲ’’’２であり、ここでＣｕ原子への結合はこれらの基を介して行われ；
・Ｒ’’は立体的に嵩高い置換基であり、好ましくは配位箇所に対してオルト位にあり、この置換基は、励起状態において錯体の平坦化への方向の形状変化を阻止するものであり、好ましくはアルキル基−（ＣＨ２）ｎ−ＣＨ３（ｎ＝０〜２０）（分枝状も可）、炭素原子数６〜２０のアリール基（例えば−Ｐｈ）、アルコキシ基−Ｏ−（ＣＨ２）ｎ−ＣＨ３（ｎ＝０〜２０）、アリールオキシ基（例えば−ＯＰｈ）もしくはシラン基（例えば−ＳｉＭｅ３）であり、ここで前記アルキル基及びアリール基は置換されていてもよく（例えばハロゲン、重水素、アルコキシ基またはシラン基で）、及び任意選択的に縮合環系をもたらし、ここで式Ａは、Ｒ’’を持たないか、Ｒ’’を一つもしくは二つ含み；
・Ｒ’’’は有機基であり、この有機基は、水素、ハロゲンもしくは重水素；並びにアルキル基（分枝状もしくは環状も可）、アリール基、ヘテロアリール基、アルケニル基、アルキニル基；またはハロゲンもしくは重水素、アルキル基（分枝状もしくは環状も可）などの置換基を有する置換されたアルキル基（分枝状もしくは環状も可）、アリール基、ヘテロアリール基及びアルケニル基；及び他の一般的に既知のドナー及びアクセプター基、例えばアミン、カルボキシレート及びそれのエステル、及びＣＦ３基からなる群から選択され；
・任意選択的に、銅（Ｉ）錯体は、ＦＧ＝官能基（ＦＧ）を更なる置換基として含んでもよく、この官能基は、直接または適当なブリッジを介してＮ∩Ｌ置換基に結合しており、ここで前記官能基は、電子伝導体、正孔伝導体、及び錯体の溶解性を変える基、特に有機溶剤中での溶解性を高める基からなる群から選択され；
・“＊”は、錯体結合を結ぶ原子を示し；そして
・“＃”は、第二の化学単位の結合を成立させる原子を示し；
ここで、該銅（Ｉ）錯体は、任意選択的に、
−最低の励起一重項（Ｓ１）状態とその下にある三重項（Ｔ１）状態との間のΔＥ（Ｓ１−Ｔ１）値が２５００ｃｍ−１未満であり；
−放出寿命が長くてもせいぜい２０μｓであり；
−放出量子収率が４０％超であり、及び／または
−有機溶剤中への溶解性が少なくとも１ｇ／Ｌである。
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
光ファイバープリフォームを形成する方法において、
シリカ系ガラススートをベイトロッド上に堆積して前記光ファイバープリフォームの低屈折率のトレンチ領域を形成する工程であって、前記低屈折率のトレンチ領域が第１の密度を有し且つ初期に一切のドーパント材料を実質的に含有しないように前記シリカ系ガラススートが堆積される工程と、
シリカ系ガラススートのバリア層であって、前記第１の密度より大きい第２の密度を有するバリア層を前記低屈折率のトレンチ領域の周りに形成する工程と、
シリカ系ガラススートを前記バリア層の周りに堆積して前記光ファイバープリフォームのオーバークラッド領域を形成し、それによってトレンチ−オーバークラッド組立体を形成する工程と、
前記ベイトロッドを前記トレンチ−オーバークラッド組立体の中央チャネルから除去する工程と、
別個に形成されたコア組立体を前記中央チャネルに挿入する工程と、
前記トレンチ−オーバークラッド組立体が加熱されるときダウンドーパントを含む前駆体ガスを前記トレンチ−オーバークラッド組立体の前記中央チャネル中に流して前記低屈折率のトレンチ領域に前記ダウンドーパントをドープする工程であって、前記バリア層が、前記低屈折率のトレンチ領域から前記オーバークラッド領域内への前記ダウンドーパントの拡散を防ぐ工程と、
を含む方法。
【請求項２】
前記コア組立体が（ｉ）コア領域または（ｉｉ）内部クラッド領域により囲まれて直接接触しているコア領域を含むことを特徴とする、請求項１に記載の方法。
【請求項３】
（Ｉ）ガス供給バーナーの火炎が前記ベイトロッドの上で軸方向に第１の速度において移動するときシリカ系ガラス前駆体材料を前記火炎中で反応させることによって前記低屈折率のトレンチ領域の前記シリカ系ガラススートが前記ベイトロッド上に堆積され、前記ガス供給バーナーの前記火炎が第１の温度を有し、
（ＩＩ）（ａ）前記ガス供給バーナーの前記火炎の温度を第２の温度に上昇させ、前記シリカ系ガラス前駆体材料が前記火炎中で反応させられるとき前記火炎の移動速度を第２の速度に減少させる工程、（ｂ）および前記火炎が前記ベイトロッドの上で移動するとき前記ガス供給バーナーに供給されるシリカ系ガラス前駆体材料の濃度を低減する工程、または（ｃ）前記火炎が前記ベイトロッドの上で移動するとき前記ガス供給バーナーに供給されるシリカ系ガラス前駆体材料の濃度を低減し、前記火炎の移動速度を第２の速度に減少させる工程
のいずれかによって前記バリア層が前記低屈折率のトレンチ領域上に形成されることを特徴とする、請求項１または２に記載の方法。
【請求項４】
ダウンドーパントを含む前記前駆体ガスが前記トレンチ−オーバークラッド組立体を通って流れるときマッフルガスを前記トレンチ−オーバークラッド組立体の外部の周りを流れさせ、それによって前記ダウンドーパントが前記オーバークラッド領域の外面を通って前記オーバークラッド領域内に拡散するのを防ぐ工程をさらに含むことを特徴とする、請求項１〜３のいずれか一項に記載の方法。
【請求項５】
光ファイバープリフォームを形成する方法において、
ガス供給バーナーの第１の温度を有する火炎がベイトロッドの上で軸方向に第１の速度において移動するときシリカ系ガラス前駆体材料を前記火炎中で反応させ、それによってシリカ系ガラススートを前記ベイトロッド上に堆積させて前記光ファイバープリフォームの低屈折率のトレンチ領域であって、第１の密度を有し、初期に一切のドーパントを実質的に含有しない低屈折率のトレンチ領域を形成する工程と、
前記ガス供給バーナーの前記火炎の温度を第２の温度に上昇させて、
（ｉ）前記ガス供給バーナーの前記火炎が前記ベイトロッドの上で移動するとき前記ガス供給バーナーの移動速度を第２の速度に減少させ、および／または
（ｉｉ）前記ガス供給バーナーの前記火炎が前記ベイトロッドの上で移動するとき前記ガス供給バーナーに供給されるシリカ系ガラス前駆体材料の濃度を低減し、
それによってシリカ系ガラススートのバリア層であって、前記第１の密度より大きい第２の密度を有するバリア層を前記低屈折率のトレンチ領域の周りに形成する工程と、
シリカ系ガラススートを前記バリア層上に堆積させて前記光ファイバープリフォームのオーバークラッド領域を形成し、前記光ファイバープリフォームのトレンチ−オーバークラッド組立体を形成する工程と、
を含む方法。
【請求項６】
前記ベイトロッドを前記トレンチ−オーバークラッド組立体の中央チャネルから除去する工程と、
前記トレンチ−オーバークラッド組立体が加熱されるときダウンドーパントを含む前駆体ガスを前記トレンチ−オーバークラッド組立体の前記中央チャネル中に流して前記低屈折率のトレンチ領域に前記ダウンドーパントをドープする工程であって、前記バリア層が、前記低屈折率のトレンチ領域から前記オーバークラッド領域内への前記ダウンドーパントの拡散を防ぐ工程と、
をさらに含むことを特徴とする、請求項５に記載の方法。
【請求項７】
別個のコア組立体を形成する工程と、
前記低屈折率のトレンチ領域が前記ダウンドーパントをドープされる前に前記コア組立体を前記トレンチ−オーバークラッド組立体に挿入してプリフォーム組立体を形成する工程と、
をさらに含むことを特徴とする、請求項５または６に記載の方法。
【請求項８】
前記第２の速度が１ｃｍ／秒未満であることを特徴とする、請求項３、５、６または７のいずれか一項に記載の方法。
【請求項９】
前記バリア層が約１．５ｇ／ｃｍ３より大きい密度を有することを特徴とする、請求項１〜８のいずれか一項に記載の方法。
【請求項１０】
前記バリア層が約１０μｍ以上および約４００μｍ以下の半径厚さを有することを特徴とする、請求項１〜９のいずれか一項に記載の方法。
【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
少なくとも原料物質を含んでいる坩堝；並びに
約２００Ｗ／（ｍ・ｋ）より大きい熱伝導度を有している物質で作られた熱除去バルブ；及び
冷却液注入管及び冷却液排出管（ここで、冷却液注入管、冷却液排出管、又はその両方は冷却液がそこを通って循環するように熱除去バルブに取り付けられている）：を含んでいる：
坩堝の下を垂直に移動可能な液冷式熱交換機：を含んでいる、
結晶性インゴットを成長させる結晶成長炉。
【請求項２】
冷却液が水を含んでいる、請求項１に記載の結晶成長炉。
【請求項３】
物質が、原料物質の融点未満の融点を有している、請求項１に記載の結晶成長炉。
【請求項４】
液冷式熱交換機が坩堝との熱接触内へ垂直に移動可能である、請求項１に記載の結晶成長炉。
【請求項５】
坩堝が坩堝支持体の上にあって液冷式熱交換機が坩堝支持体との熱接触内垂直に移動する、請求項１に記載の結晶成長炉。
【請求項６】
坩堝支持体が、熱除去バルブを受け取る大きさ及び形状の開口部を含んでいて、熱除去バルブが開口部内を垂直に移動可能である、請求項５に記載の結晶成長炉。
【請求項７】
坩堝が、坩堝支持体の上にある坩堝ボックス内に収容され、そして液冷式熱交換機が坩堝支持体との熱接触内を垂直に移動可能である、請求項１に記載の結晶成長炉。
【請求項８】
坩堝支持体が熱除去バルブを受け取る大きさ及び形状の開口部を含み、そして熱除去バルブが開口部内を垂直に移動可能である、請求項７に記載の結晶成長炉。
【請求項９】
液冷式熱交換機が封管外部ジャケット内にある、請求項１に記載の結晶成長炉。
【請求項１０】
液冷式熱交換機が封管外部ジャケット内を坩堝との熱伝達内へ垂直移動可能である、請求項９に記載の結晶成長炉。
【請求項１１】
少なくとも原料物質を含んでいる坩堝を結晶成長炉内に置くこと；
坩堝の下を垂直に移動可能な液冷式熱交換機の中に冷却液を循環させること（ここで、液冷式熱交換機は、約２００Ｗ／（ｍ・ｋ）より大きい熱伝導度を有している物質で作られた熱除去バルブ、冷却液注入管及び冷却液排出管（ここで、冷却液注入管、冷却液排出管、又はその両方は、冷却液がその中を循環するように熱除去バルブに取り付けられている）を含んでいる）；
坩堝内の少なくとも原料物質を加熱及び溶融すること；及び
結晶性インゴットの成長を促進するために、液冷式熱交換機を坩堝との熱伝達内へ垂直に移動すること：
の工程を含んでいる、結晶成長炉で結晶性インゴットを製造する方法。
【手続補正書】
【提出日】平成27年7月28日(2015.7.28)
【手続補正１】
【補正対象書類名】明細書
【補正対象項目名】００７４
【補正方法】変更
【補正の内容】
【００７４】
【表２】
2014527052.tif 000001
本発明に関連する発明の実施態様の一部を以下に示す。
［態様１］
１，２，３−トリクロロプロパンを含む供給材料からの塩素化プロペンの連続製造方法であって、第１塩素化反応の前に脱塩化水素化反応が起こり、少なくとも２つの反応が同一の反応器で起こる、塩素化プロペンの連続製造方法。
［態様２］
少なくとも２つの塩素化反応が同一の反応器で起こる、上記態様１に記載の方法。
［態様３］
少なくとも２つの脱塩化水素化反応が同一の反応器で起こる、上記態様１又は２に記載の方法。
［態様４］
少なくとも１つの塩素化反応が液相中で行われ、塩素化剤がＣl2、ＳＯ2Ｃｌ2又はこれらの組み合わせを含む、上記態様１に記載の方法。
［態様５］
塩素化反応が、ＡｌＣｌ3、Ｉ2、ＦｅＣｌ3、硫黄、鉄、五塩化アンチモン、三塩化ホウ素、１種以上のハロゲン化ランタン、１種以上の金属トリフラート、又はそれらの組み合わせを含むイオン性塩素化触媒の存在下で行われる、上記態様４に記載の方法。
［態様６］
塩素化反応が、アゾビスイソブチロニトリル、１，１’−アゾビス（シクロヘキサンカルボニトリル）、２，２’−アゾビス（２，４−ジメチルバレロニトリル）、ジメチル２，２’−アゾビス（２−メチルプロピオネート）又はこれらの組み合わせを含むフリーラジカル開始剤の存在下で行われる、上記態様４に記載の方法。
［態様７］
前記供給材料がさらに塩化アリルを含む、上記態様１に記載の方法。
［態様８］
前記供給材料流の少なくとも１つの成分が、当該方法において又は当該方法の蒸留で生成したものである、上記態様１又は７に記載の方法。
［態様９］
第１脱塩化水素化反応が、気相で起こり、無水ＨＣｌを含む生成物流を生成する、上記態様１に記載の方法。
［態様１０］
第１脱塩化水素化反応が液相で起こる、上記態様１に記載の方法。
［態様１１］
第１脱塩化水素化反応によりジクロロプロペン、トリクロロプロペン及びＴＣＰＥを含む混合物が生成する、上記態様１０に記載の方法。
［態様１２］
前記塩素化プロペンが３〜５個の塩素原子を含む、上記態様１に記載の方法。
［態様１３］
前記塩素化プロペンが１，１，２，３−テトラクロロプロペンを含む、上記態様１２に記載の方法。
［態様１４］
請求項１に記載の方法により製造した塩素化及び／又はフッ素化プロペンを２，３，３，３−テトラフルオロプロパ−１−エン又は１，３，３，３−テトラフルオロプロパ−１−エンに変換することを含む、２，３，３，３−テトラフルオロプロパ−１−エン又は１，３，３，３−テトラフルオロプロパ−１−エンの製造方法。
【手続補正２】
【補正対象書類名】特許請求の範囲
【補正対象項目名】全文
【補正方法】変更
【補正の内容】
【特許請求の範囲】
【請求項１】
１，２，３−トリクロロプロパンを含む供給材料からの塩素化プロペンの連続製造方法であって、第１塩素化反応の前に脱塩化水素化反応が起こり、前記第１塩素化反応の生成物流の少なくとも一部が第１脱塩化水素化反応器に再循環され、少なくとも２つの反応が同一の反応器で起こり、所望の塩素化プロペンへの選択率が８０％以上である、塩素化プロペンの連続製造方法。
【請求項２】
少なくとも２つの塩素化反応が同一の反応器で起こり、及び／又は、少なくとも２つの脱塩化水素化反応が塩素化反応器とは別の同一の反応器で起こる、請求項１に記載の方法。
【請求項３】
少なくとも１つの塩素化反応が、ｉ）液相中で行われ、ii）塩素化剤がＣl2、ＳＯ2Ｃｌ2又はこれらの組み合わせを含み、iii）塩素化反応が、ＡｌＣｌ3、Ｉ2、ＦｅＣｌ3、硫黄、鉄、五塩化アンチモン、三塩化ホウ素、１種以上のハロゲン化ランタン、１種以上の金属トリフラート、又はそれらの組み合わせを含むイオン性塩素化触媒、あるいは、
アゾビスイソブチロニトリル、１，１’−アゾビス（シクロヘキサンカルボニトリル）、２，２’−アゾビス（２，４−ジメチルバレロニトリル）、ジメチル２，２’−アゾビス（２−メチルプロピオネート）又はこれらの組み合わせを含むフリーラジカル開始剤
の存在下又は不在下で行われる、請求項１に記載の方法。
【請求項４】
第１脱塩化水素化反応が液相中で起こり、ジクロロプロペン、トリクロロプロペン及び１，１，２，３−テトラクロロプロペンを含む混合物が生成する、請求項１〜３のいずれか一項に記載の方法。
【請求項５】
請求項１〜４のいずれか一項に記載の方法により製造した塩素化プロペンを２，３，３，３−テトラフルオロプロパ−１−エン又は１，３，３，３−テトラフルオロプロパ−１−エンに変換することを含む、２，３，３，３−テトラフルオロプロパ−１−エン又は１，３，３，３−テトラフルオロプロパ−１−エンの製造方法。
【手続補正書】
【提出日】平成27年8月8日(2015.8.8)
【手続補正１】
【補正対象書類名】特許請求の範囲
【補正対象項目名】全文
【補正方法】変更
【補正の内容】
【特許請求の範囲】
【請求項１】
対象におけるがんの１つ以上の症状の治療、緩和、改善、軽減、遅延発病、進行抑制、重症度低減および／または発生低減のための薬物を製造するための薬剤の使用であって、前記薬物は、前記対象へ投与され、前記薬剤は、
ａ．ｐ６２／ＳＱＳＴＭ１ポリペプチド、または
ｂ．ｐ６２／ＳＱＳＴＭ１をコードする核酸、
を含む、使用。
【請求項２】
前記薬剤は、
ａ．１つ以上のドメイン欠失、
ｂ．前記ｐ６２／ＳＱＳＴＭ１をコードする核酸は、配列番号１と少なくとも９５％同一である、または
ｃ．前記ｐ６２／ＳＱＳＴＭ１ポリペプチドは、配列番号２と少なくとも９８％同一である、
を含む、請求項１に記載の使用。
【請求項３】
前記１つ以上のドメイン欠失が、ＰＢ１、ＺＺ、ＮＬＳ２、ＴＢ、ＮＬＳ１、ＮＥＳ、ＬＩＲ、ＫＩＲ、およびＵＢＡからなる群から選択される１以上における欠損である、請求項２に記載の使用。
【請求項４】
前記ｐ６２／ＳＱＳＴＭ１ポリペプチドまたはｐ６２／ＳＱＳＴＭ１をコードする核酸が、融合ポリペプチドまたは融合ポリペプチドをコードする核酸をそれぞれさらに含む、請求項１〜３のいずれか１項に記載の使用。
【請求項５】
前記ｐ６２／ＳＱＳＴＭ１ポリペプチドが、翻訳後修飾されている、請求項１〜４のいずれか１項に記載の使用。
【請求項６】
前記ｐ６２／ＳＱＳＴＭ１ポリペプチドが、ｉｎ  ｖｉｔｒｏで翻訳後修飾されている、請求項５に記載の使用。
【請求項７】
前記薬物が、非経口、経口、経鼻的、経直腸的、経皮的、膣内、またはエアロゾルを介した吸入からなる群から選択される経路のいずれかによって投与される、請求項１〜６のいずれか１項に記載の使用。
【請求項８】
前記薬物が、血管内、静脈内、動脈内、筋肉内、眼球内、皮内および皮下からなる群から選択される経路のいずれかによって投与される、請求項７に記載の使用。
【請求項９】
前記薬物が、臓器または腫瘍へ投与される、請求項７に記載の使用。
【請求項１０】
前記対象に、アジュバントを投与することをさらに含む、請求項１〜９のいずれか１項に記載の使用。
【請求項１１】
前記アジュバントが、ゲル型、微生物、粒子性、油エマルジョン、サーファクタントベース、および合成アジュバントからなる群から選択される、請求項１０に記載の使用。
【請求項１２】
１つ以上の共刺激成分を投与することをさらに含む、請求項１〜１１のいずれか１項に記載の使用。
【請求項１３】
前記１つ以上の共刺激成分が、細胞表面タンパク質、サイトカイン、ケモカインおよびシグナル伝達分子からなる群から選択される、請求項１２に記載の使用。
【請求項１４】
抑制または負の調節免疫機構を遮断する１つ以上の分子を投与することをさらに含む、請求項１〜１３のいずれか１項に記載の使用。
【請求項１５】
抑制または負の調節免疫機構を遮断する前記１つ以上の分子が、抗ＣＴＬＡ−４抗体、抗ＣＤ２５抗体、抗ＣＤ４抗体、および融合タンパク質ＩＬ１３Ｒａ２−Ｆｃからなる群から選択される、請求項１４に記載の使用。
【請求項１６】
前記対象へ１つ以上の抗がん治療を投与することをさらに含む、請求項１〜１５のいずれか１項に記載の使用。
【請求項１７】
前記１つ以上の抗がん治療が、化学療法分子、放射、および抗血管形成分子からなる群から選択される、請求項１６に記載の使用。
【請求項１８】
前記化学療法分子が、シクロホスファミド、ドキソルビシン、パクリタキセル、ドセタキセル、ビンブラスチン、メトトレキサート、５−フルオロウラシル、ナベルビン、カペシタビン、およびマイトマイシンＣからなる群から選択される、請求項１７に記載の使用。
【請求項１９】
前記がんが、乳癌、肺癌、前立腺癌、胃癌、結腸直腸癌、皮膚癌、頭部および頚部の癌、気管支癌、膵臓癌、膀胱癌、脳癌、中枢神経系癌、末梢神経系癌、食道癌、口腔または咽頭の癌、肝臓癌、腎臓癌、精巣癌、胆道癌、小腸または虫垂癌、卵巣癌、子宮癌、唾液腺癌、甲状腺癌、副腎癌、骨肉腫、軟骨肉腫、肉腫および血液組織の癌からなる群から選択される、請求項１〜１８のいずれか１項に記載の使用。
【請求項２０】
前記対象が、がんと診断された対象、過去に癌治療を受けていた対象、がんの家族歴がある対象、およびがんの素因を有する対象からなる群から選択される、請求項１〜１９のいずれか１項に記載の使用。
【請求項２１】
前記薬剤が、ｐ６２／ＳＱＳＴＭ１をコードする核酸を含み、前記ｐ６２／ＳＱＳＴＭ１をコードする核酸が、配列番号１と少なくとも９５％同一であり、前記ｐ６２／ＳＱＳＴＭ１をコードする核酸が、プラスミドまたはウイルスベクターに含まれる、請求項１〜２０のいずれか１項に記載の使用。
【請求項２２】
核酸ベースの免疫付与の効率を向上させるための戦略をさらに含む、請求項２１に記載の使用。
【請求項２３】
前記戦略が、自己複製ウイルスレプリコン、コドン最適化、ｉｎ  ｖｉｖｏエレクトロポレーション、ＣｐＧ刺激モチーフの採用、エンドサイトーシスまたはユビキチン処理経路の標的化のための配列、マレック病ウイルス１型ＶＰ２２配列、プライムブーストレジメン、および粘膜送達ベクターの使用からなる群から選択される、請求項２２に記載の使用。
【誤訳訂正書】
【提出日】平成27年9月16日(2015.9.16)
【誤訳訂正１】
【訂正対象書類名】特許請求の範囲
【訂正対象項目名】全文
【訂正方法】変更
【訂正の内容】
【特許請求の範囲】
【請求項１】
吸入剤組成物を調製する方法であって、
ａ）アルコールと界面活性剤とを混合し、第一混合物を形成する工程であって、前記アルコールが前記吸入剤組成物の総重量の０．０５〜２．５（ｗ／ｗ％）の含量を有する前記工程と、
ｂ）前記第一混合物にβ−２アゴニストを分散させ、第二混合物を形成する工程と、 
ｃ）前記第二混合物にハイドロフルオロアルカン（ＨＦＡ）噴射剤を添加し、吸入剤組成物を形成する工程と、
ｄ）前記吸入剤組成物にコルチコステロイドを分散させる工程と、を含んでいることを特徴とする吸入剤組成物を調製する方法。
【請求項２】
ｅ）缶内に前記吸入剤組成物を加圧して注入する工程を更に含んでいることを特徴とする請求項１に記載の吸入剤組成物を調製する方法。
【請求項３】
前記コルチコステロイドは、ブデソニド、フルチカゾン、ベクロメタゾン、シクレソニド、プロピオン酸フルチカゾン、ジプロピオン酸ベクロメタゾン、及びそれらの組み合わせからなる群から選択された一つを含み、
前記β−２アゴニストは、アルブテロール、プロカテロール、フォルモテロール、硫酸アルブテロール、塩酸プロカテロール、フマル酸フォルモテロールおよびこれらの組み合わせからなる群から選択された一つを含むことを特徴とする請求項１又は２に記載の吸入剤組成物を調製する方法。
【請求項４】
前記ＨＦＡ噴射剤は、ＨＦＡ１３４ａ及びＨＦＡ２２７の少なくとも一つを含むことを特徴とする請求項１〜３のいずれか１項に記載の吸入剤組成物を調製する方法。
【請求項５】
前記界面活性剤は、１００〜６０００範囲の分子量を有するポリエチレングリコール（ＰＥＧ）を含み、添加重量比が前記吸入剤組成物の総重量の０．０１％〜２．５０％（ｗ／ｗ％）の範囲を有することを特徴とする請求項１〜４のいずれか１項に記載の吸入剤組成物を調製する方法。
【請求項６】
定量噴霧式吸入剤組成物であって、前記定量噴霧式吸入剤組成物が総重量を有し、
前記総重量の０．０５〜２．５％（ｗ／ｗ％）のアルコールと、
ハイドロフルオロアルカン（ＨＦＡ）噴射剤と、
前記総重量の０．２〜１．５％（ｗ／ｗ％）のＰＥＧと、
前記総重量の０．０１４〜０．３９６％（ｗ／ｗ％）のβ−２アゴニスト及び前記総重量の０．２５２〜０．３５１％（ｗ／ｗ％）のコルチコステロイドと、を含むことを特徴とする定量噴霧式吸入剤組成物。
【誤訳訂正２】
【訂正対象書類名】明細書
【訂正対象項目名】００６１
【訂正方法】変更
【訂正の内容】
【００６１】
処方例１０：
硫酸アルブテロール            ０．１６８％        ｗ／ｗ％
ジプロピオン酸ベクロメタゾン  ０．２８６％        ｗ／ｗ％
ＨＦＡ２２７                  ９６．５４６％      ｗ／ｗ％
アルコール                    １．５００％        ｗ／ｗ％
ＰＥＧ１００                  １．５００％        ｗ／ｗ％
総量                          １００．０００％    ｗ／ｗ％。
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2014527060.tif 000001
式中、
Ｒ１は、Ｙ、ＣＯＡ、ＣＯＯＡ、ＣＯＯ−（ＣＨ２）ｎ−Ａｒ、ＣＯＯ−（ＣＨ２）ｎ−Ｃｙｃを示し；
Ｒ２、Ｒ３は、互いに独立してＹまたはＳＯ２Ｙを示し；
Ｒ４は、Ｃｌ、Ｂｒ、Ｉ、ＣＯＯＹ、ＳＯ２Ｙ、ＣＮ、ＣＡｒ３、（ＣＨ２）ｍ−Ａｒ、
【化２】
2014527060.tif 000002
を示し；
Ｒ５は、（ＣＨ２）ｎ−Ａｒ、（ＣＨ２）ｎ−Ｃｙｃ、（ＣＨ２）ｎ−Ｈｅｔ、（ＣＨ２）ｎ−Ｏ−Ａｒ、（ＣＨ２）ｎ−ＣＹ（ＯＨ）−Ａｒ、（ＣＨ２）ｎ−ＣＯ−Ａｒまたは（ＣＨ２）ｎ−ＮＹ−Ａｒを示し；
Ｘは、ＣＨ２、ＣＯまたはＣＨ（ＯＨ）を示し；
Ｙは、ＨまたはＡを示し；
Ａは、１〜１０個のＣ原子を有する非分枝状のまたは分枝状のアルキルを示し、ここで１〜７個のＨ原子は互いに独立してＨａｌによって置き換えられることができ、および／またはここで１つのＣＨ２基は−ＣＨ＝ＣＨ−基によって置き換えられることができ；
Ｃｙｃは、３〜７個のＣ原子を有するシクロアルキルを示し、ここで１〜４個のＨ原子は互いに独立してＨａｌによって置き換えられることができるか、および／またはＡｒによって置換されることができ；
Ａｒは、３〜１２個のＣ原子を有する、不飽和のまたは芳香族の、単環式のまたは二環式の炭素環を示し、これはＨａｌ、Ａ、（ＣＹ２）ｎ−ＯＹ、（ＣＹ２）ｎ−ＮＹＹ、ＣＯＯＹ、ＣＯＮＹＹ、ＮＨＣＯＹ、ＳＯ２Ｙ、ＣＮおよびフェノキシの群から選択される少なくとも１つの置換基で置換されることができ；
Ｈｅｔは、１〜１２個のＣ原子および１〜４個のＮ原子を有する、不飽和のまたは芳香族の、単環式の、二環式のまたは三環式の複素環を示し、これはＨａｌ、Ａ、（ＣＹ２）ｎ−ＯＹ、（ＣＹ２）ｎ−ＮＹＹ、ＣＯＯＹ、ＣＯＮＹＹ、ＮＨＣＯＹ、ＳＯ２Ｙ、ＳＯ２Ａｒ、ＣＮおよびチオフェニルの群から選択される少なくとも１つの置換基で置換されることができ；
Ｈａｌは、Ｆ、Ｃｌ、ＢｒまたはＩを示し；
ｍは、１、２または３を示し；および
ｎは、０、１、２、３、４、５または６を示す；
で表される化合物および／またはその生理学的に許容可能な塩。
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
缶エンド(１００)用タブ(２)であって、
缶エンド(１００)は、エンドパネル(１０２)と、第１のリベット（２０）と、第２のリベット（２２）と、エンドパネル(１０２)にティアパネル(１０６)を定めるスコアライン(１０４)とを備えており、ティアパネル(１０６)によって缶エンド(１００)に開口がもたらされ、
第１の端部(６)と、第１の端部(６)の反対側にて、第１の端部(６)に対して遠位に配置された第２の端部(８)とを備える本体(４)と、
タブ(２)の第１の端部(６)に、又はタブ(２)の第１の端部(６)の付近に位置するノーズ部(１０)と、  
タブ(２)の第２の端部(８)に、又はタブ(２)の第２の端部(８)の付近に位置するリフト部(１２)と、
ノーズ部(１０)の近くに配置され、リベット孔(１６)を備えているリベット受け部(１４)と、
第２の端部(８)の近くからリベット受け部(１４)に向けて延びており、リベット孔（２６）とを含んでいる凹パネル(２４)と、
を備えており、
第２のリベット（２２）は、リベット孔（２６）を通って延びて、凹パネル(２４)に固定されるように構成されており、
凹パネル(２４)は、リベット受け部(１４)から離れており、
第１のリベット(２０)は、エンドパネル(１０２)から外へと延びて、タブ(２)のリベット受け部(１４)を缶エンド(１００)に固定するように構成されており、
第２のリベット(２２)は、エンドパネル(１０２)から外へと延びて、本体(４)におけるリフト部(１２)の近くの部分と協働するように構成されている、タブ。
【請求項２】
エンドパネル(１０２)は、第２のリベット(２２)に隣接した追加のスコアライン(１１０)をさらに備えており、リフト部(１２)は、第２のリベット(２２)を中心にして枢動することによって追加のスコアライン(１１０)を少なくとも部分的に裂いて缶エンド(１００)を通気するように構成されている、請求項１に記載のタブ。
【請求項３】
追加のスコアライン(１１０)は、第２のリベット(２２)の周囲を環状に延びている、請求項２に記載のタブ。
【請求項４】
リフト部(１２)が引き上げられると、リフト部(１２)は、第２のリベット(２２)をエンドパネル(１０２)から分離させることによって缶エンド(１００)に通気孔を生じるように構成されている、請求項３に記載のタブ。
【請求項５】
本体(４)は、タブ(２)の中央を通って第１の端部(６)と第２の端部(８)との間を延びる長手軸(３００)と、複数のスロット(３０、３２)とをさらに備えており、複数のスロット(３０、３２)は、ノーズ部(１０)とリフト部(１２)との間においてタブ(２)の両側に配置され、長手軸(３００)に対してほぼ横方向に延びる支点(４００)を形成するように協働し、支点(４００)は、ノーズ部(１０)に対するリフト部(１２)の上方又は下方への枢動を可能にする、請求項１に記載のタブ。
【請求項６】
単一の金属片からなる、請求項１に記載のタブ。
【請求項７】
請求項１に記載のタブ(２)と、タブ(２)に取り付けられた缶エンド(１００)との組合せ。
【請求項８】
缶エンド(１００)は、ビール缶の缶エンド、飲料缶の缶エンド、及び食品缶の缶エンドからなる群から選択される、請求項７に記載の組合せ。
【請求項９】
請求項１乃至８の何れかに記載のタブ(２)をもたらすための工具アセンブリ(３００)であって、
タブ(２)は、缶エンド(１００)に取り付けられるように構成されており、
缶エンド(１００)は、エンドパネル(１０２)と、第１のリベット（２０）と、第２のリベット（２２）と、缶エンド(１００)に開口をもたらすために、エンドパネル(１０２)にティアパネル(１０６)を定めるスコアライン(１０４)とを備えおり、
第１の工具部材(３０２)と、  
第１の工具部材(３０２)に対向して配置され、第１の工具部材(３０２)と協働してタブ(２)を生じるように構成された第２の工具部材(３０８)と、
を備える工具アセンブリ。
【請求項１０】
ベント式缶エンド(１００)をもたらす方法において、  
タブ(２)を形成する工程であって、タブ(２)は、
第１の端部(６)と、第１の端部(６)の反対側にて、第１の端部(６)に対して遠位に配置された第２の端部(８)とを備える本体(４)と、
第１の端部(６)に、又は第１の端部(６)の付近に位置するノーズ部(１０)と、
第２の端部(８)に、又は第２の端部(８)の付近に位置するリフト部(１２)と、
ノーズ部(１０)の近くに配置されており、リベット孔(１６)を備えているリベット受け部(１４)と、
第２の端部(８)の近くからリベット受け部(１４)に向けて延びており、リベット孔（２６）とを含んでおり、リベット受け部(１４)から離れている凹パネル(２４)と、
を備える工程と、
缶エンド(１００)のエンドパネル(１０２)に第１のリベット(２０)を形成する工程であって、
エンドパネル(１０２)は、表面と、製品面と、缶エンド(１００)に開口をもたらすべくエンドパネル(１０２)にティアパネル(１０６)を定める、表面のスコアライン(１０４)とを備えており、第１のリベット(２０)は、表面から外側へと延びてタブ(２)のリベット受け部(１４)を缶エンド(１００)に固定する工程と、
エンドパネル(１０２)に、表面から外側へと延びてタブ(２)の別の一部分と協働する第２のリベット(２２)を形成する工程と、
を含んでおり、
第２のリベット（２２）は、リベット孔（２６）を通って延びて、凹パネル(２４)に固定されるように構成されており、
エンドパネル(１０２)は、第２のリベット(２２)に隣接した追加のスコアライン(１１０)をさらに備えており、
タブ(２)のリフト部(１２)の引き上げに応じて、タブが第２のリベット(２２)を中心にして枢動することで、追加のスコアライン(１０４)の少なくとも一部分が裂けて、缶エンド(１００)が通気する方法。
【請求項１１】
タブ(２)のリフト部(１２)が引き上げられると、リフト部(１２)は、第２のリベット(２２)をエンドパネル(１０２)から分離させることによって缶エンド(１００)に通気孔を生じるように構成されている、請求項１０に記載の方法。
【請求項１２】
タブ(２)の本体(４)は、タブ(２)の中央を通って第１の端部(６)と第２の端部(８)との間を延びる長手軸(３００)と、複数のスロット(３０、３２)とをさらに備えており、複数のスロット(３０、３２)は、ノーズ部(１０)とリフト部(１２)との間においてタブ(２)の両側に配置され、長手軸(３００)に対してほぼ横方向に延びる支点(４００)を形成するように協働し、支点(４００)は、ノーズ部(１０)に対するリフト部(１２)の上方又は下方への枢動を可能にする、請求項１０に記載の方法。
【請求項１３】
タブ(２)は単一の金属片からなる、請求項１０に記載の方法。